【手続補正書】
【提出日】平成27年1月22日(2015.1.22)
【手続補正１】
【補正対象書類名】特許請求の範囲
【補正対象項目名】全文
【補正方法】変更
【補正の内容】
【特許請求の範囲】
【請求項１】
出力装置により再生されるコンテンツの現在の再生時間を読み込み、
前記出力装置により再生される前記コンテンツに対応する字幕情報を表示するように表示部を制御し、
読み込まれた前記コンテンツの前記現在の再生時間に基づいて、前記コンテンツの属性に対応する特徴情報を取得し、
取得された前記特徴情報に基づいて、表示される前記字幕情報に対応する所定の効果を適用するように、前記表示部を制御するように構成される、
回路を備える、情報処理システム。
【請求項２】
前記出力装置により再生される前記コンテンツは、音声コンテンツであり、前記字幕情報は、前記音声コンテンツに対応する、請求項１の情報処理システム。
【請求項３】
前記特徴情報は、前記音声コンテンツのピッチに対応する、請求項２の情報処理システム。
【請求項４】
前記特徴情報は、前記音声コンテンツのテンポに対応する、請求項２の情報処理システム。
【請求項５】
前記特徴情報は、前記音声コンテンツのインテンシティに対応する、請求項２の情報処理システム。
【請求項６】
前記回路は、前記所定の効果として、表示される前記字幕情報の上に視覚効果を重畳するように前記表示部を制御する、請求項１の情報処理システム。
【請求項７】
前記所定の効果は、前記コンテンツの前記属性に対応する波形である、請求項１の情報処理システム。
【請求項８】
前記回路は、表示される前記字幕情報の上に前記波形を重畳するように、前記表示部を制御するように構成される、請求項７の情報処理システム。
【請求項９】
前記回路は、前記字幕情報に対応するカーソルを表示するように前記表示部を制御し、読み込まれた前記オーディオコンテンツの前記現在の再生時間に基づいて前記カーソルを移動するように、前記表示部を制御するように構成される、請求項１の情報処理システム。
【請求項１０】
前記回路は、取得された前記特徴情報に基づいて前記所定の効果を前記カーソルに適用するように、前記表示部を制御するように構成される、請求項９の情報処理システム。
【請求項１１】
前記回路は、取得された前記特徴情報に基づいて前記所定の効果を前記カーソルの先端部に適用するように、前記表示部を制御するように構成される、請求項９の情報処理システム。
【請求項１２】
取得される前記特徴情報は、前記コンテンツのピッチ又はインテンシティに対応し、
前記回路は、前記コンテンツのピッチ又はインテンシティに対応する、取得された前記特徴情報に基づいて、前記カーソルのサイズを変更するように前記表示部を制御する、
請求項１０の情報処理システム。
【請求項１３】
取得された前記特徴情報が、前記コンテンツのピッチ又はインテンシティが上がることを示す場合、前記回路は、前記カーソルの前記サイズを拡大させるように前記表示部を制御する、請求項１２の情報処理システム。
【請求項１４】
取得された前記特徴情報が、前記コンテンツのピッチ又はインテンシティが下がることを示す場合、前記回路は、前記カーソルの前記サイズを縮小させるように前記表示部を制御する、請求項１２の情報処理システム。
【請求項１５】
前記出力装置によって再生される前記コンテンツは、動画データと、前記動画データに対応する前記字幕情報と、を含む、請求項１の情報処理システム。
【請求項１６】
前記回路は、表示される前記字幕情報に含まれるテキスト文字に前記所定の効果を適用するように構成される、請求項１の情報処理システム。
【請求項１７】
前記テキスト文字に適用される前記所定の効果は、前記テキスト文字のサイズ、形状、色、及び表示角度のうち少なくとも１つを変更することを含む、請求項１６の情報処理システム。
【請求項１８】
前記回路は、読み込まれた前記コンテンツの前記現在の再生時間に基づいて、前記所定の効果を前記テキスト文字の先頭の文字に適用するように構成される、請求項１７の情報処理システム。
【請求項１９】
情報処理システムにより実行される方法であって、
出力装置により再生されるコンテンツの現在の再生時間を読み込むことと、
前記出力装置により再生される前記コンテンツに対応する字幕情報を表示するように表示部を制御することと、
読み込まれた前記コンテンツの前記現在の再生時間に基づいて、前記コンテンツの属性に対応する特徴情報を取得することと、
取得された前記特徴情報に基づいて、表示される前記字幕情報に対応する所定の効果を適用するために前記表示部を制御することと、
を含む方法。
【請求項２０】
出力装置により再生されるコンテンツの現在の再生時間を読み込むことと、
前記出力装置により再生される前記コンテンツに対応する字幕情報を表示するように表示部を制御することと、
読み込まれた前記コンテンツの前記現在の再生時間に基づいて、前記コンテンツの属性に対応する特徴情報を取得することと、
取得された前記特徴情報に基づいて、表示される前記字幕情報に対応する所定の効果を適用するために前記表示部を制御することと、
を含む処理を、回路に実行させるコンピュータプログラム命令を含む、非一時的コンピュータ可読媒体。
【手続補正２】
【補正対象書類名】明細書
【補正対象項目名】００２２
【補正方法】変更
【補正の内容】
【００２２】
＜２．ハードウェア構成例＞
まず図３を参照しながら、本開示の一実施形態に係る語学学習装置１００のハードウェア構成の一例について説明する。図３は、同実施形態に係る語学学習装置１００のハードウェア構成の一例を示すブロック図である。
【手続補正３】
【補正対象書類名】明細書
【補正対象項目名】００３０
【補正方法】変更
【補正の内容】
【００３０】
＜３．機能構成例＞
次に、図４を参照しながら語学学習装置１００の機能構成の一例について説明する。図４は、同実施形態に係る語学学習装置１００の機能構成の一例を示すブロック図である。
【手続補正４】
【補正対象書類名】明細書
【補正対象項目名】００３６
【補正方法】変更
【補正の内容】
【００３６】
表示制御部１７０は、再生制御部１５０の制御に従って表示部１７５の出力する表示画面の内容を制御することができる。表示制御部１７０は、再生制御部１５０の指定するコンテンツ中の指定された再生箇所を表示するように表示部１７５の表示画面の内容を制御することができる。表示制御部１７０は、音声出力部１６５が出力中の音声の特徴に基づいて形態が変化するアニメーションオブジェクトの表示を制御することができる。ここでアニメーションオブジェクトは、例えば音声の内容を示すテキスト上に重畳して表示されるオブジェクトであってよい。またアニメーションオブジェクトは、例えば音声の内容を示すテキストに含まれる文字であってもよい。表示制御部１７０は、アニメーションオブジェクトの形態を変化させることにより、アニメーションで音声の特徴を示すことができる。ここでアニメーションオブジェクトの形態とは、例えば形状、サイズ、色、表示角度などであってよい。
【手続補正５】
【補正対象書類名】明細書
【補正対象項目名】００４１
【補正方法】変更
【補正の内容】
【００４１】
＜４．表示画面例＞
次に、図５及び図６を参照しながら、本実施形態に係る語学学習装置１００の表示する表示画面例について説明する。図５は、同実施形態に係る語学学習装置１００の表示する表示画面の第１の例である。図６は、同実施形態に係る語学学習装置１００の表示する表示画面の第２の例である。
【手続補正６】
【補正対象書類名】明細書
【補正対象項目名】００４５
【補正方法】変更
【補正の内容】
【００４５】
＜５．音声特徴情報の例＞
次に、図７〜図９を参照しながら、本開示の一実施形態に係る語学学習装置１００の用いる音声特徴情報の一例について説明する。図７は、同実施形態に係る語学学習装置１００の用いる音声特徴情報について説明するための説明図である。図８は、同実施形態に係る語学学習装置１００の用いる音声特徴情報を含む字幕情報の一例を示す説明図である。図９は、同実施形態に係る語学学習装置１００が音声特徴情報を用いて行う再生制御の一例を説明するための説明図である。
【手続補正７】
【補正対象書類名】明細書
【補正対象項目名】００５０
【補正方法】変更
【補正の内容】
【００５０】
＜６．アニメーション例＞
次に、図１０〜図１２を参照しながら、本開示の一実施形態に係る語学学習装置１００の表示するアニメーションオブジェクトの表示例について説明する。図１０は、同実施形態に係る語学学習装置１００が音声の特徴に基づいて表示するアニメーションの一例を示す説明図である。図１１は、同実施形態に係る語学学習装置１００が音声の特徴に基づいて表示するアニメーションの他の一例を示す説明図である。図１２は、同実施形態に係る語学学習装置１００が音声の特徴に基づいて表示するアニメーションの他の一例を示す説明図である。
【手続補正８】
【補正対象書類名】明細書
【補正対象項目名】００５４
【補正方法】変更
【補正の内容】
【００５４】
＜７．動作例＞
次に図１３及び図１４を参照しながら、本開示の一実施形態に係る語学学習装置１００の動作例について説明する。なお、ここでは図５に説明した映画などの動画像コンテンツを用いた語学学習サービスを提供する第１の表示画面を提供する場合の第１の動作例と、図６に説明したテキストコンテンツに対して選択した箇所の音声を出力する第２の表示画面を提供する第２の動作例とについてそれぞれ説明する。図１３は、同実施形態に係る語学学習装置１００の第１の動作例を示すフローチャートである。図１４は、同実施形態に係る語学学習装置１００の第２の動作例を示すフローチャートである。